(57)【特許請求の範囲】
【請求項１】
基地局が割り当て可能な複数のリソースブロックの各々のチャネル品質を測定する測定部と、
前記基地局が定めたグループ数又はグループサイズ及び所定個数に従い前記複数のリソースブロックを複数のグループに分割し、グループ毎に前記チャネル品質が相対的に良好な前記所定個数のリソースブロックのチャネル品質を示す品質情報と、前記所定個数のリソースブロックの前記グループ内における位置を示す位置情報とを生成する生成部と、
前記品質情報及び位置情報を符号化して符号化データを得る符号化部と、
前記符号化データを変調して変調信号を得る変調部と、
前記変調信号を前記基地局に送信する送信部と
を具備することを特徴とする無線通信端末。
【請求項２】
前記グループに含まれる前記リソースブロックの数は、全ての前記グループにおいて同一であることを特徴とする請求項１記載の無線通信端末。
【請求項３】
前記所定個数は、全ての前記グループにおいて同一であることを特徴とする請求項１記載の無線通信端末。
【請求項４】
前記グループに含まれる前記リソースブロックの数が、少なくとも２つの前記グループ間で異なることを特徴とする請求項１記載の無線通信端末。
【請求項５】
前記所定個数が、少なくとも２つの前記グループ間で異なることを特徴とする請求項１記載の無線通信端末。
【請求項６】
前記グループに含まれるリソースブロックの数に対する前記所定個数の比率が、全ての前記グループにおいて同一であることを特徴とする請求項１記載の無線通信端末。
【請求項７】
前記グループのうち１つのグループに含まれる全てのリソースブロックが周波数軸上で連続であることを特徴とする請求項１記載の無線通信端末。
【請求項８】
前記グループのうち１つのグループに含まれるリソースブロックの１つが、当該１つのグループに含まれる他の全てのリソースブロックに対して周波数軸上で不連続であることを特徴とする請求項１記載の無線通信端末。
【請求項９】
グルーピングルールを取得する取得部を更に具備し、前記生成部は前記グルーピングルールに従って前記複数のリソースブロックを前記複数のグループに分割することを特徴とする請求項１記載の無線通信端末。
【請求項１０】
前記グルーピングルールが、時間によって遷移することを特徴とする請求項９記載の無線通信端末。
【請求項１１】
前記グルーピングルールが、前記基地局と通信を行う全ての無線通信端末において同一であることを特徴とする請求項９記載の無線通信端末。
【発明の詳細な説明】
【技術分野】
【０００１】
本発明は、移動通信システムにおける無線通信端末に関する。
【背景技術】
【０００２】
従来、適応変調を採用する移動通信システムにおいて、移動局は受信状態の最も良好な基地局に対するチャネル品質を測定し、当該基地局に通知（フィードバック）する。基地局にフィードバックされる情報は、ＣＱＩ（Channel Quality Indicator）と呼ばれる。基地局は、ＣＱＩに基づいて移動局との間の伝送フォーマット（変調方式、符号化レート及び送信電力などの組み合わせ）を決定し、移動局に通知する。
【０００３】
このように基地局は、移動局からのＣＱＩに基づき伝送フォーマットを適応的に切り替え、各移動局の個別情報チャネル上で情報を伝送する。即ち、基地局と各移動局との間の通信において、受信状態に適応した誤り耐性の伝送レートが夫々割り当てられる。尚、移動局自身が、測定したチャネル品質に基づいて伝送フォーマットを決定し、基地局に通知する場合もある。
【０００４】
また、基地局が移動局に割り当て可能なリソース単位（リソースブロック）が同時に複数存在する場合、移動局は上記リソースブロック毎にチャネル品質を測定し、基地局にＣＱＩを通知する。例えばＯＦＤＭＡ（直交周波数分割多元接続）を採用する移動通信システムにおいて、基地局及び各移動局間の通信は、キャリア（システム帯域）を分割したサブキャリアを同時に複数使用して行われる。即ち、基地局は、各移動局からのＣＱＩに応じてリソースの割り当て及び伝送フォーマットの切り替えを適応的に行う。各移動局は、チャネル品質が良好なリソースが基地局から割り当てられるため、スループットの向上が期待できる。また、基地局は相対的に受信状態が良好な移動局に優先的にリソースを割り当てられるため、システムスループットの向上が期待できる。
【０００５】
ＯＦＤＭＡを採用する移動通信システムにおいて、割り当て可能なリソース数の増大に伴い、ＣＱＩのシグナリングオーバーヘッドの増大が問題となる。非特許文献１には、ＣＱＩ通知方式の１つとしてＢｅｓｔＭ方式が記載されている。ＢｅｓｔＭ方式を採用する移動局は、割り当て可能なリソースブロックのうちチャネル品質が良好なＭ個のリソースブロックを選択する。そして、上記Ｍ個のリソースブロックのチャネル品質を示す値（例えば、Ｍ個のチャネル品質の平均値または最小値）を当該Ｍ個のリソースブロックの位置情報と共に基地局に通知する。ＢｅｓｔＭ方式によれば、ＣＱＩ通知に要する情報量を削減できる。
【非特許文献１】R1-07393３−ｍitsubishi Electric, "Selection of CQI reporting scheme", 3GPP TSG RAN WG1 #50bis
【発明の開示】
【発明が解決しようとする課題】
【０００６】
ＢｅｓｔＭ方式は、割り当て可能な全てのリソースブロックのチャネル品質を通知する方式に比べて、ＣＱＩの情報量を大幅に削減できる。しかしながら、ＢｅｓｔＭ方式では、チャネル品質の他に、選択されたＭ個のリソースブロックの位置情報を更に通知する必要がある。具体的には、割り当て可能なリソースブロック数がＮ個であれば、仮に上記Ｍの値が基地局にとって既知であったとしても、少なくともlog2(C(N,M))ビットの情報量が位置情報の通知のために必要となる。
【０００７】
また、基地局が各移動局へのリソースの割り当てをスケジューリングする際には、チャネル品質の他にも様々な条件を考慮する必要がある。基地局は、例えばリソースブロックの割り当てを各移動局に通知するためのシグナリング量を小さくすることや、地理的に隣接するセル間における干渉を回避することも考慮してスケジューリングを行う。従って、基地局にとって、移動局に割り当てたいリソースブロックまたは割り当てたくないリソースブロックが存在することがある。ＢｅｓｔＭ方式では、チャネル品質の良し悪しのみによって基地局に通知されるリソースブロックが選択されるため、当該選択されたリソースブロックが基地局の割り当てたくない帯域に偏ることがあり得る。即ち、ＢｅｓｔＭ方式は、選択されるリソースブロックが特定の帯域に偏ることによって、リソース割り当てのスケジューリングの自由度が制限されるおそれがある。
【０００８】
従って、本発明はＣＱＩの情報量を削減しつつ、リソース割り当てのスケジューリングの自由度を確保可能な移動通信システムを提供することを目的とする。
【課題を解決するための手段】
【０００９】
本発明の一態様に係る移動通信システムにおける無線通信端末は、基地局が割り当て可能な複数のリソースブロックの各々のチャネル品質を測定する測定部と；前記複数のリソースブロックを複数のグループに分割し、グループ毎に前記チャネル品質が相対的に良好な所定個数のリソースブロックのチャネル品質を示す品質情報と、前記所定個数のリソースブロックの前記グループ内における位置を示す位置情報とを生成する生成部と；前記品質情報及び位置情報を符号化して符号化データを得る符号化部と；前記符号化データを変調して変調信号を得る変調部と；前記変調信号を前記基地局に送信する送信部と；を具備する。
【発明の効果】
【００１０】
本発明によれば、ＣＱＩの情報量を削減しつつ、リソース割り当てのスケジューリングの自由度を確保可能な移動通信システムを提供できる。
【発明を実施するための最良の形態】
【００１１】
以下、図面を参照して、本発明の実施形態について説明する。  
（第１の実施形態）  
本実施形態に係る移動通信システムは、例えばＯＦＤＭ変調方式を採用する。ＯＦＤＭ変調方式では、高速なデータ信号を低速で狭帯域なデータ信号に変換し、互いに直交する複数のサブキャリアを用いて周波数軸上で多重して伝送する。また、本実施形態に係る移動通信システムでは、図３に示すように、ＯＦＤＭ帯域は６００個のサブキャリアで構成され、各サブキャリア間隔は１５ｋＨｚとする。本実施形態に係る移動通信システムにおける基地局は、複数（例えば２５個）のサブキャリアを１つのリソースブロックとして各移動局に割り当て可能であるものとする。
【００１２】
図１に示すように、本発明の第１の実施形態に係る移動通信システムにおける移動局は、アンテナ１０１、デュプレクサ１０２、受信ＲＦ部１０３、ＦＦＴ（高速フーリエ変換）部１０４、周波数チャネル分離部１０５、パイロットデスクランブリング部１０６、チャネル品質測定部１０７、制御チャネル復調部１０８、制御チャネル復号部１０９、データチャネル復調部１１０、データチャネル復号部１１１、制御部１２０、ＣＱＩ生成部１３１、ＣＱＩチャネル符号化部１３２、パイロット信号生成部１３３、データチャネル符号化部１３４、変調部１３５、物理リソース割り当て部１３６、ＩＦＦＴ（逆高速フーリエ変換）部１３７及び送信ＲＦ部１３８を有する。
【００１３】
アンテナ１０１は、後述する基地局から送信される無線信号を受信して受信信号を出力する。アンテナ１０１からの受信信号は、デュプレクサ１０２を介して受信ＲＦ部１０３に入力される。また、アンテナ１０１は、デュプレクサ１０２を介して後述する送信ＲＦ部１３８からの無線信号を受け取り、基地局に向けて送信する。
【００１４】
受信ＲＦ部１０３は、低雑音増幅器（ＬＮＡ）、ダウンコンバータ及びアナログ−デジタル変換器（ＡＤＣ）を含む。受信ＲＦ部１０３は、ＬＮＡによってデュプレクサ１０２からの受信信号の利得を調整してからダウンコンバータによってダウンコンバートし、ＡＤＣによってデジタル信号（デジタル受信ベースバンド信号という）に変換する。デジタル受信ベースバンド信号はＦＦＴ部１０４に入力される。
【００１５】
ＦＦＴ部１０４では、受信ＲＦ部１０３からのデジタル受信ベースバンド信号に対して高速フーリエ変換が行われ、これによってデジタル受信ベースバンド信号は時間領域の信号から周波数領域の信号に変換される。上記周波数領域の信号はサブキャリア毎に分割されており、同一フレームにおいて複数の移動局（即ち、自局及び複数の他局）宛ての信号が直交周波数分割多重されている。上記サブキャリア毎に分割された信号は、周波数チャネル分離部１０５に渡される。
【００１６】
周波数チャネル分離部１０５は、ＦＦＴ部１０４からのサブキャリア毎に分割された信号をパイロットチャネル信号、制御チャネル信号及びデータチャネル信号に分離する。周波数チャネル分離部１０５には、後述する制御部１２０によってパイロットチャネル、制御チャネル及びデータチャネルが夫々どのサブキャリアであるかが通知されている。
【００１７】
即ち、周波数チャネル分離部１０５は、まず制御部１２０によって通知されたパイロットチャネルに対応するサブキャリア上の信号をパイロットチャネル信号としてパイロットデスクランブリング部１０６に渡す。また、周波数チャネル分離部１０５は、制御部１２０によって通知された制御チャネルに対応するサブキャリア上の信号を制御チャネル信号として制御チャネル復調部１０８に渡す。更に、周波数チャネル分離部１０５は、制御部１２０によって通知されたデータチャネルに対応するサブキャリア上の信号をデータチャネル信号としてデータチャネル復調部１１０に渡す。
【００１８】
パイロットデスクランブリング部１０６は、所定のデスクランブリングコードを用いて周波数チャネル分離部１０５からのパイロットチャネル信号をデスクランブルする。尚、上記デスクランブリングコードは、基地局においてパイロットデータをスクランブルする際に用いられたスクランブリングコードを反転させたものである。パイロットデスクランブリング部１０６によってデスクランブルされたパイロットチャネル信号は、パイロット信号としてチャネル品質測定部１０７、制御チャネル復調部１０８及びデータチャネル復調部１１０に送られる。
【００１９】
チャネル品質測定部１０７は、パイロットデスクランブリング部１０６からのパイロット信号に基づき、各リソースブロックのチャネル品質を測定する。チャネル品質測定部１０７によって得られるチャネル品質の測定結果及びチャネル品質が測定されたリソースブロックの位置情報は、ＣＱＩ生成部１３１に送られる。
【００２０】
制御チャネル復調部１０８は、抽出すべき制御チャネル信号のチャネル番号及び変調方式を制御部１２０から予め通知されている。制御チャネル復調部１０８は、周波数チャネル分離部１０５から入力された制御チャネル信号に対してパイロットデスクランブリング部１０６からのパイロット信号を用いてチャネル等化を行う。次に、制御チャネル復調部１０８はチャネル等化後の制御チャネル信号を制御部１２０から通知された変調方式に応じて復調して、制御信号として制御チャネル復号部１０９に渡す。
【００２１】
制御チャネル復号部１０９は、制御チャネル復調部１０８からの制御信号を当該制御信号の符号化方式に応じて復号し、制御データとして制御部１２０に渡す。尚、復号に必要とされる符号化方式を示す情報（符号化レートなど）は、予め制御部１２０から通知されている。例えば、上記符号化方式を示す情報は本実施形態に係る移動通信システムにおいて固定されるか、あるいは通信の開始前に基地局より取得される。
【００２２】
データチャネル復調部１１０は、周波数チャネル分離部１０５から入力されるデータチャネル信号を、当該データチャネル信号の変調方式に応じて復調して、データ信号としてデータチャネル復号部１１１に渡す。また、データチャネル復調部１１０は、パイロットデスクランブリング部１０６からのパイロット信号を用いてチャネル等化を行う。
【００２３】
データチャネル復号部１１１は、データチャネル復調部１１０からのデータ信号を当該データ信号の符号化方式に応じて復号し、基地局から受信した受信データ（下りデータ）を再生する。尚、前述したように上記符号化方式の情報は、予め制御部１２０から通知されている。
【００２４】
制御部１２０は、図１の移動局の各構成要素を統括して制御する。また、制御部１２０は、後述するグルーピングルール取得部１２１を含む。  
具体的には、制御部１２０はデータチャネル復調部１１０及びデータチャネル復号部１１１の制御を行う。制御部１２０は、制御チャネル復号部１０９からの制御データに基づき、サブフレーム毎に受信信号が自局宛ての信号であるか否かを判定する。受信信号が自局宛ての信号であれば、制御部１２０は上記制御データに含まれるシグナリング情報を抽出する。制御部１２０は、上記シグナリング情報からデータチャネル信号の復調及び復号に必要な情報を検出して、データチャネル復調部１１０及びデータチャネル復号部１１１に渡す。一方、制御部１２０は、受信信号が自局宛ての信号でなければ、制御部１２０はデータチャネル復調部１１０及びデータチャネル復号部１１１の処理を中止させる。
【００２５】
グルーピングルール取得部１２１は、グルーピングルールを取得し、ＣＱＩ生成部１３１に渡す。グルーピングルールとは、割り当て可能なリソースブロックを複数のグループに分割（グルーピング）するための規則であって、基地局によって決定される。グルーピングルール取得部１２１は、グルーピングルールを制御チャネル復号部１０９からの制御データに基づいて取得してもよいし、通信の開始前に基地局より取得してもよい。
【００２６】
ＣＱＩ生成部１３１は、チャネル品質測定部１０７からのリソースブロック毎のチャネル品質の測定結果及び当該リソースブロックの位置情報と、グルーピングルール取得部１２１からのグルーピングルールとに基づいてＣＱＩを生成し、ＣＱＩチャネル符号化部１３２に渡す。
【００２７】
具体的には、ＣＱＩ生成部１３１は、まず上記グルーピングルールに従って、Ｎ個（Ｎは自然数）の割り当て可能なリソースブロックをＬ個（Ｌは２以上Ｎ未満の自然数）のグループに分割する。以降の説明において、グルーピングされたリソースブロックをリソースブロックグループ（ＲＢＧ）と称し、便宜上各々にグループ番号を付与して説明する。第ｉ番目（ｉはＬ以下の任意の自然数）のリソースブロックグループＲＢＧ＿ｉは、Ｐ＿ｉ個（Ｐ＿ｉはＮ未満の自然数）のリソースブロックで構成される。尚、各リソースブロックグループのサイズＰは、以下の条件式（１）を満たす。
【数１】
0005282425.tif 000002
【００２８】
ＣＱＩ生成部１３１は、第ｉ番目のリソースブロックグループＲＢＧ＿ｉからＭａ＿ｉ個（Ｍａ＿ｉはＰ＿ｉ以下の自然数）のチャネル品質の良好なリソースブロックを選択する。即ち、ＣＱＩ生成部１３１は、ＢｅｓｔＭ方式のように、リソースブロックグループの各々からチャネル品質の良好なリソースブロックをＭａ個選択する。ＣＱＩ生成部１３１は、リソースブロックグループ毎に、選択したリソースブロックのチャネル品質を示す情報と、当該リソースブロックのリソースブロックグループ内における位置を示す情報とを生成する。そして、ＣＱＩ生成部１３１は、上記リソースブロックグループ毎に生成した情報をまとめてＣＱＩとしてＣＱＩチャネル符号化部１３２に渡す。
【００２９】
ＣＱＩチャネル符号化部１３２は、制御部１２０によって通知された符号化方式に従って、ＣＱＩ生成部１３１からのＣＱＩを符号化する。ＣＱＩチャネル符号化部１３２からの符号化データ（ＣＱＩ信号という）は、変調部１３５に入力される。
【００３０】
パイロット信号生成部１３３は、基地局との間で既知のビット列（パイロットデータ）に対して所定のスクランブリングコードを用いてパイロット信号を生成する。パイロット信号生成部１３３によって生成されたパイロット信号は、変調部１３５に入力される。
【００３１】
データチャネル符号化部１３４は、制御部１２０によって通知された符号化方式に従って、基地局へ送信する送信データ（上りデータ）を符号化する。データチャネル符号化部１３４からの符号化データ（データ信号という）は、変調部１３５に入力される。
【００３２】
変調部１３５は、ＣＱＩチャネル符号化部１３２からのＣＱＩ信号、パイロット信号生成部１３３からのパイロット信号及びデータチャネル符号化部１３４からのデータ信号に対して変調を行う。変調部１３５の変調方式は、例えば直交位相シフトキーイング（ＱＰＳＫ）などのデジタル変調方式であって、制御部１２０によって指定されている。変調部１３５からのＣＱＩ信号、パイロット信号及びデータ信号の変調信号（ＣＱＩチャネル信号、パイロットチャネル信号及びデータチャネル信号という）は、物理リソース割り当て部１３６に入力される。
【００３３】
物理リソース割り当て部１３６は、変調部１３５からのＣＱＩチャネル信号、パイロットチャネル信号及びデータチャネル信号の各々に、制御部１２０によって通知されたサブキャリアを割り当てる。ここで、信号にサブキャリアを割り当てるとは、複素数値で表現される信号に、対応するリソースブロック内のサブキャリアの時間軸上及び周波数軸上の位置を示すサブキャリアインデックスを付与することを意味する。物理リソース割り当て部１３６は、物理リソース割り当て後の信号をＩＦＦＴ部１３７に渡す。
【００３４】
ＩＦＦＴ部１３７では、物理リソース割り当て部１３６からの物理リソース割り当て後の信号に逆高速フーリエ変換が行われ、これによって物理リソース割り当て後の信号は周波数領域の信号から時間領域の信号に変換される。ＩＦＦＴ部１３７からの上記時間領域の信号は、送信ＲＦ部１３８に渡される。
【００３５】
送信ＲＦ部１３８は、デジタルアナログ変換器（ＤＡＣ）、アップコンバータ及び電力増幅器（ＰＡ）を含む。送信ＲＦ部１３８は、ＤＡＣによってＩＦＦＴ部１３７からの時間領域の信号をアナログ信号に変換し、アップコンバータによってアップコンバートして無線信号に変換してからＰＡによって電力増幅を行う。送信ＲＦ部１３８からの無線信号は、デュプレクサ１０２を介してアンテナ１０１に送られ、電波として送信される。
【００３６】
図２に示すように、本発明の第１の実施形態に係る移動通信システムにおける基地局は、アンテナ２０１、デュプレクサ２０２、受信ＲＦ部２０３、ＦＦＴ部２０４、周波数チャネル分離部２０５、パイロットデスクランブリング部２０６、ＣＱＩチャネル復調部２０７、ＣＱＩチャネル復号部２０８、データチャネル復調部２０９、データチャネル復号部２１０、制御部２２０、パイロット信号生成部２４１、制御チャネル符号化部２４２、データチャネル符号化部２４３、変調部２４４、物理リソース割り当て部２４５、ＩＦＦＴ部２４６及び送信ＲＦ部２４７を有する。
【００３７】
アンテナ２０１は、図１の移動局から送信される無線信号を受信して受信信号を出力する。アンテナ２０１からの受信信号は、デュプレクサ２０２を介して受信ＲＦ部２０３に入力される。また、アンテナ２０１は、デュプレクサ２０２を介して後述する送信ＲＦ部２４７からの無線信号を受け取り、図１の基地局に向けて送信する。
【００３８】
受信ＲＦ部２０３は、ＬＮＡ、ダウンコンバータ及びＡＤＣを含む。受信ＲＦ部２０３は、ＬＮＡによってデュプレクサ２０２からの受信信号の利得を調整してからダウンコンバータによってダウンコンバートし、ＡＤＣよってデジタル信号（デジタル受信ベースバンド信号という）に変換する。デジタル受信ベースバンド信号はＦＦＴ部２０４に入力される。
【００３９】
ＦＦＴ部２０４では、受信ＲＦ部２０３からのデジタル受信ベースバンド信号に対して高速フーリエ変換が行われ、これによってデジタル受信ベースバンド信号は時間領域の信号から周波数領域の信号に変換される。上記周波数領域の信号はサブキャリア毎に分割されており、同一フレームにおいて複数の移動局からの信号が直交周波数分割多重されている。上記サブキャリア毎に分割された信号は、周波数チャネル分離部２０５に渡される。
【００４０】
周波数チャネル分離部２０５は、ＦＦＴ部２０４からのサブキャリア毎に分割された信号をパイロットチャネル信号、ＣＱＩチャネル信号及びデータチャネル信号に分離する。周波数チャネル分離部２０５には、後述する制御部２２０によってパイロットチャネル、ＣＱＩチャネル及びデータチャネルが夫々どのサブキャリアであるかが通知されている。
【００４１】
即ち周波数チャネル分離部２０５は、まず制御部２２０によって通知されたパイロットチャネルに対応するサブキャリア上の信号をパイロットチャネル信号としてパイロットデスクランブリング部２０６に渡す。また、周波数チャネル分離部２０５は、制御部２２０によって通知されたＣＱＩチャネルに対応するサブキャリア上の信号をＣＱＩチャネル信号としてＣＱＩチャネル復調部２０７に渡す。更に周波数チャネル分離部２０５は、制御部２２０によって通知されたデータチャネルに対応するサブキャリア上の信号をデータチャネル信号としてデータチャネル復調部２０９に渡す。
【００４２】
パイロットデスクランブリング部２０６は、所定のデスクランブリングコードを用いて周波数チャネル分離部２０５からのパイロットチャネル信号をデスクランブルする。尚、上記デスクランブリングコードは、各移動局においてパイロットデータをスクランブルする際に用いられたスクランブリングコードを反転させたものである。パイロットデスクランブリング部２０６によってデスクランブルされたパイロットチャネル信号はパイロット信号としてＣＱＩチャネル復調部２０７及びデータチャネル復調部２０８に送られる。
【００４３】
ＣＱＩチャネル復調部２０７は、抽出すべきＣＱＩチャネル信号のチャネル番号及び変調方式を制御部２２０から予め通知されている。ＣＱＩチャネル復調部２０７は、周波数チャネル分離部２０５から入力されるＣＱＩチャネル信号を、当該ＣＱＩチャネル信号の変調方式に応じて復調して、ＣＱＩ信号としてＣＱＩチャネル復号部２０８に渡す。また、ＣＱＩチャネル復調部２０７は、パイロットデスクランブリング部２０６からのパイロット信号を用いてチャネル等化を行う。ＣＱＩチャネル復号部２０８は、ＣＱＩチャネル復調部２０７からのＣＱＩ信号を当該ＣＱＩ信号の符号化方式に応じて復号し、ＣＱＩとして制御部２２０に渡す。尚、前述したように上記符号化方式の情報は、予め制御部２２０から通知されている。
【００４４】
データチャネル復調部２０９は、Ｎ個のデータチャネル復調器２０９−１乃至２０９−ｎを含む。データチャネル復調器２０９−１乃至２０９−ｎの各々は、抽出すべきデータチャネル信号のチャネル番号及び変調方式を制御部２２０から予め通知されている。データチャネル復調器２０９−１乃至２０９−ｎの各々は、周波数チャネル分離部２０５から入力されるデータチャネル信号を、当該データチャネル信号の変調方式に応じて復調して、データ信号としてデータチャネル復号部２１０に渡す。また、データチャネル復調器２０９−１乃至２０９−ｎの各々は、パイロットデスクランブリング部２０６からのパイロット信号を用いてチャネル等化を行う。
【００４５】
データチャネル復号部２１０は、データチャネル復調器２０９−１乃至２０９−ｎの各々に対応するデータチャネル復号器２１０−１乃至２１０−ｎを含む。データチャネル復号器２１０−１乃至２１０−ｎは、データチャネル復調器２１０−１乃至２１０−ｎからのデータ信号を当該データ信号の符号化方式に応じて復号し、各移動局から受信した受信データ（上りデータ）を再生する。尚、前述したように上記符号化方式の情報は、予め制御部２２０から通知されている。
【００４６】
制御部２２０は、図２の各構成要素を統括して制御する。また、制御部２２０は、後述するスケジューリング部２３０を含む。スケジューリング部２３０は、移動局からのフィードバック情報（ＣＱＩや受信応答を示すAck/Nack）、各移動局宛てのデータ量及びスケジューリング優先度などに基づき、各フレーム及び各リソースブロックにおいて移動局に送信するパケットの宛先のスケジュールを決定する。また、スケジューリング部２３０は、グルーピングルール決定部２３１を含み、当該グルーピングルール決定部２３１によってグルーピングルールを決定する。制御部２２０は、スケジューリング部２３０によって決定されたスケジュールを物理リソース割り当て部２４５に通知する。
【００４７】
パイロット信号生成部２４１は、図１の移動局との間で既知のビット列（パイロットデータ）に対して所定のスクランブリングコードを用いてパイロット信号を生成する。パイロット信号生成部２４１は、パイロット信号を変調部２４４に渡す。
【００４８】
制御チャネル符号化部２４２は、複数の制御チャネル符号化器を含む。複数の制御チャネル符号化器の各々は、制御部２２０からの各移動局宛ての個別の制御情報のビット列を、制御部２２０から通知された符号化方式に従って符号化し、制御信号を変調部２４４に渡す。
【００４９】
データチャネル符号化部２４３は、複数のデータチャネル符号化器２４３−１乃至２４３−ｍを含む。制御部２２０によって通知された符号化方式に従って、移動局へ送信する送信データ（下りデータ）を符号化し、データ信号として変調部２４４に渡す。
【００５０】
変調部２４４は、複数の変調器２４４−１乃至２４４−ｍを含む。複数の変調器２４４−１乃至２４４−ｍの各々は、パイロット信号生成部２４１からのパイロット信号、制御チャネル符号化部２４２からの制御信号及びデータチャネル符号化部２４３からのデータ信号に対して変調を行う。複数の変調器２４４−１乃至２４４−ｍの変調方式は、例えばＱＰＳＫなどのデジタル変調方式であって、制御部２２０によって指定されている。複数の変調器２４４−１乃至２４４−ｍの各々からの、パイロット信号、制御信号及びデータ信号の変調信号（パイロットチャネル信号、制御チャネル信号及びデータチャネル信号という）は、物理リソース割り当て部２４５に入力される。
【００５１】
物理リソース割り当て部２４５は、変調部２４４からのパイロットチャネル信号、制御チャネル信号及びデータチャネル信号の各々に、制御部２２０によって通知されたスケジュールに従ってサブキャリアを割り当てる。即ち、物理リソース割り当て部２４５は、複数の移動局宛の信号を同一フレームにおいて直交周波数分割多重する。物理リソース割り当て部２４５は、物理リソース割り当て後の信号をＩＦＦＴ部２４６に渡す。
【００５２】
ＩＦＦＴ部２４６では、物理リソース割り当て部２４５からの物理リソース割り当て後の信号に逆高速フーリエ変換が行われ、これによって物理リソース割り当て後の信号は、周波数領域の信号から時間領域の信号に変換される。ＩＦＦＴ部２４６からの上記時間領域の信号を送信ＲＦ部２４７に渡される。
【００５３】
送信ＲＦ部２４７は、ＤＡＣ、アップコンバータ及びＰＡを含む。送信ＲＦ部２４７は、ＤＡＣによってＩＦＦＴ部２４６からの時間領域の信号をアナログ信号に変換し、アップコンバータによって無線信号に変換してからＰＡによって電力増幅を行う。送信ＲＦ部２４７からの無線信号は、デュプレクサ２０２を介して上記無線信号をアンテナ２０１に送られ、電波として送信される。
【００５４】
以下、割り当て可能なリソースブロックをグルーピングルールに従ってグルーピングすることの技術的意義を、ＣＱＩの情報量の観点から説明する。例えば、従来のＢｅｓｔＭ方式では、Ｍ個のリソースブロックの位置情報の情報量［bit］は、以下に示す数式（２）で導出される。
【数２】
0005282425.tif 000003
【００５５】
数式（２）において、ceil()は、括弧内の値の切り上げ整数化を示している（以降の説明においても同様）。一方、本実施形態に係る移動通信システムにおいて、各リソースブロックグループにおいて選択されるリソースブロックの位置情報の総情報量［bit］は、以下の数式（３）で導出される。尚、上記リソースブロックの位置情報は、各リソースブロックグループ内における相対的な位置を示すものとする。
【数３】
0005282425.tif 000004
【００５６】
ここで、数式（３）で導出される情報量と、数式（２）で導出される情報量を対等に比較するため、以下の条件式（４）を仮定する。
【数４】
0005282425.tif 000005
【００５７】
また、本実施形態に係る移動通信システムのグルーピングルールにおいて、各リソースブロックグループのサイズＰ及び選択数Ｍａは図４に示すように、同じ値であるとする。即ち、サイズＰはＮ／Ｌ、選択数ＭａはＭ／Ｌである。従って、数式（３）は以下の数式（５）と等価である。
【数５】
0005282425.tif 000006
【００５８】
数式（５）で導出される情報量は、数式（２）で導出される情報量よりも小さい。従って、割り当て可能なリソースブロックをグルーピングルールに従ってグルーピングすることにより、ＢｅｓｔＭ方式に比べて情報量を更に削減できる。
【００５９】
以下、図１の移動局及び図２の基地局との間のＣＱＩのやり取りの一例を図５に示すシーケンス図を用いて説明する。  
まず、基地局がＣＱＩリソース情報のスケジューリングを行い、同時にグルーピングルールを決定する。具体的には、基地局中のスケジューリング部２３０がＣＱＩリソースのスケジューリングを行うと共に、グルーピングルール決定部２３１によってグルーピングルールを決定する。基地局は、移動局との通信を開始する度にＣＱＩリソース情報のスケジューリングを行う。ＣＱＩリソース情報は、移動局が基地局にＣＱＩを送信する時間−周波数リソース、ＣＱＩフォーマット及び変調方式などの情報を含む。ここで、時間−周波数リソースは、移動局の物理リソース割り当て部１３６によって、変調されたＣＱＩチャネル信号が直交周波数分割多重されるサブキャリアの集合を示す。また、ＣＱＩフォーマットは、移動局のＣＱＩ生成部１３１によって生成されるＣＱＩのデータ構造を規定し、グルーピングルールを含む。具体的には、ＣＱＩフォーマットでは、各グループにおいてチャネル品質が良好なＭａ個のリソースブロックのチャネル品質を示す情報（例えば、Ｍａ個のチャネル品質の平均値）と、当該Ｍａ個のリソースブロックの位置を示す情報とがＣＱＩに含まれる旨が規定される。
【００６０】
上記ＣＱＩフォーマット中のグルーピングルールは、例えばグループ数Ｌ、各リソースブロックグループのサイズＰ及び各リソースブロックグループにおける選択数Ｍａなどのパラメータを含む。また、グルーピングルールは、上記パラメータの他にも例えば各グループに含まれるリソースブロックのリソースブロック番号など、移動局がＣＱＩフォーマットを一意に定めるために必要な情報を含んでもよい。また、移動局と基地局との間で、グルーピングルールの候補を予めいくつか定め、当該候補の各々にインデックスを付与してグルーピングルールを特定するようにしてもよい。
【００６１】
基地局は、ＣＱＩリソースのスケジュールを決定すると、各移動局に対して制御チャネルを通じてＣＱＩリソース情報を通知する。具体的には、制御部２３０中のスケジューリング部２３０が決定したリソース情報は、制御チャネル符号化部２４２、変調部２４４、物理リソース割り当て部２４５、ＩＦＦＴ部２４６、送信ＲＦ部２４７、デュプレクサ２０２及びアンテナ２０１を経由して、各移動局に通知される。
【００６２】
各移動局は、基地局からのＣＱＩリソース情報を取得する。具体的には、基地局からのＣＱＩリソース情報は、アンテナ１０１、デュプレクサ１０２、受信ＲＦ部１０３、ＦＦＴ部１０４、周波数チャネル分離部１０５、制御チャネル復調部１０８及び制御チャネル復号部１０９を経由して制御部１２０に渡される。制御部１２０中のグルーピングルール取得部１２１は、上記ＣＱＩリソース情報に含まれるグルーピングルールを取得する。
【００６３】
各移動局中の周波数チャネル分離部１０５は、通信の開始前に共通制御チャネルを通じて基地局より通知されているパイロットチャネルのリソース割り当て情報に基づいてパイロットチャネル信号を分離する。パイロットデスクランブリング部１０６は、上記パイロットチャネル信号をデスクランブルして、パイロット信号としてチャネル品質測定部１０７に渡す。チャネル品質測定部１０７は、上記パイロット信号に基づき、各リソースブロックのチャネル品質を測定し、各リソースブロックにおける測定結果を位置情報と共にＣＱＩ生成部１３１に渡す。
【００６４】
ＣＱＩ生成部１３１は、グルーピングルール取得部１２１が取得したグルーピングルールに従って、リソースブロックをＬ個のグループにグルーピングし、各グループにおいてチャネル品質の良好なＭａ個のリソースブロックのチャネル品質を示す情報と、当該Ｍａ個のリソースブロックの位置を示す情報とを生成する。ＣＱＩ生成部１３１は、前述したＣＱＩフォーマットに従って、上記情報からＣＱＩを生成する。
【００６５】
ＣＱＩ生成部１３１によって生成されたＣＱＩは、ＣＱＩチャネル符号化部１３２、変調部１３５、物理リソース割り当て部１３６、ＩＦＦＴ部１３７、送信ＲＦ部１３８、デュプレクサ１０２及びアンテナ１０１を経由して基地局に送信される。
【００６６】
以降、各移動局は、所定の周期毎または基地局からＣＱＩの要求を受ける度に、チャネル品質の測定、ＣＱＩの生成及び送信を行う。
【００６７】
基地局は、移動局に対して下りデータを送信する場合には、制御部２２０中のスケジューリング部２３０によって、当該移動局から送られたＣＱＩや、その他の移動局からフィードバックされた情報などを用いて、各移動局に対して下りデータを送信するためのスケジューリングを行う。制御部２２０は、スケジューリング結果を制御データとして制御チャネル符号化部２４２に渡す。制御データには、各移動局へのデータ送信に用いられるリソースブロック位置及びサブフレーム番号や符号化レートなどを含む。制御チャネル符号化部２４２によって符号化された制御データは、データチャネル符号化部２４３によって符号化された下りデータと共に、変調部２４４，物理リソース割り当て部２４５、ＩＦＦＴ部２４６、送信ＲＦ部２４７、デュプレクサ２０２及びアンテナ２０１を経由して各移動局に送信される。
【００６８】
以上説明したように本実施形態に係る移動通信システムにおける移動局は、グルーピングルールによってリソースブロックをグルーピングして、各グループにおいてチャネル品質が良好なリソースブロックに基づいてＣＱＩを生成するようにしている。従って、本実施形態に係る移動通信システムにおける基地局がＣＱＩを得られるリソースブロックは、一部の帯域に偏らず、広帯域に分散される。従って、基地局のリソース割り当てのスケジューリングの自由度を確保できる。また、ＣＱＩの情報量を削減することも可能である。
【００６９】
（第２の実施形態）  
本発明の第２の実施形態に係る移動通信システムは、前述した第１の実施形態に係る移動通信システムとグルーピングルールのみが異なる。従って、以下の説明では本実施形態に係る移動通信システムにおけるグルーピングルールの詳細を中心に述べる。
【００７０】
前述した第１の実施形態に係る移動通信システムにおけるグルーピングルールでは、各リソースブロックグループのサイズＰ及び選択数Ｍａは全てのリソースブロックグループにおいて共通であった。本実施形態に係る移動通信システムにおけるグルーピングルールでは、例えば図６に示すように、上記選択数Ｍａがリソースブロックグループ間で異なってもよい。
【００７１】
以下、上記グルーピングルールの技術的意義を説明する。  
基地局中のスケジューリング部２３０によって行われるリソース割り当てのスケジューリングにおいて、帯域間でスケジューリング優先度が異なる場合がある。即ち、基地局が移動局へ割り当てたいリソースブロックと、割り当てたくないリソースブロックとが存在している場合がある。更に、上記帯域毎のスケジューリング優先度がスケジューリング部２３０にとって通信の開始前から既知であって、かつ、当該帯域毎のスケジューリング優先度が固定である場合が想定される。
【００７２】
上記グルーピングルールによれば、スケジューリング優先度の高い帯域に含まれるリソースブロックグループにおける選択数Ｍａを相対的に大きく設定したり、当該帯域に含まれないリソースブロックグループにおける選択数Ｍａを相対的に小さく設定したりできる。同様に、上記グルーピングルールによれば、スケジューリング優先度の低い帯域に含まれるリソースブロックグループにおける選択数Ｍａを相対的に小さく設定したり、当該帯域に含まれないリソースブロックグループにおける選択数Ｍａを相対的に大きく設定したりできる。従って、基地局は、移動局へ割り当てたいリソースブロックに関するＣＱＩを相対的に多く得られるため、スケジューリングの自由度を確保できる。
【００７３】
（第３の実施形態）  
本発明の第３の実施形態に係る移動通信システムは、前述した第１の実施形態に係る移動通信システムとグルーピングルールのみが異なる。従って、以下の説明では本実施形態に係る移動通信システムにおけるグルーピングルールの詳細を中心に述べる。
【００７４】
前述した第１の実施形態に係る移動通信システムにおけるグルーピングルールでは、各リソースブロックグループのサイズＰ及び選択数Ｍａは全てのリソースブロックグループにおいて共通であった。本実施形態に係る移動通信システムにおけるグルーピングルールでは、例えば図７に示すように、上記サイズＰがリソースブロックグループ間で異なってもよい。
【００７５】
以下、上記グルーピングルールの技術的意義を説明する。  
基地局中のスケジューリング部２３０によって行われるリソース割り当てのスケジューリングにおいて、帯域間でスケジューリング優先度が異なる場合がある。即ち、基地局が移動局へ割り当てたいリソースブロックと、割り当てたくないリソースブロックとが存在している場合がある。更に、上記帯域毎のスケジューリング優先度がスケジューリング部２３０にとって通信の開始前から既知であって、かつ、当該帯域毎のスケジューリング優先度が固定である場合が想定される。
【００７６】
上記グルーピングルールによれば、スケジューリング優先度の高い帯域に含まれるリソースブロックグループのサイズＰを相対的に小さく設定したり、当該帯域に含まれないリソースブロックグループのサイズＰを相対的に大きく設定したりできる。同様に、上記グルーピングルールによれば、スケジューリング優先度の低い帯域に含まれるリソースブロックグループのサイズＰを相対的に大きく設定したり、当該帯域に含まれないリソースブロックグループのサイズＰを相対的に小さく設定したりできる。従って、基地局は、移動局へ割り当てたいリソースブロックに関するＣＱＩを相対的に多く得られるため、スケジューリングの自由度を確保できる。
【００７７】
（第４の実施形態）  
本発明の第４の実施形態に係る移動通信システムは、前述した第１の実施形態に係る移動通信システムとグルーピングルールのみが異なる。従って、以下の説明では本実施形態に係る移動通信システムにおけるグルーピングルールの詳細を中心に述べる。
【００７８】
前述した第１の実施形態に係る移動通信システムにおけるグルーピングルールでは、各リソースブロックグループのサイズＰ及び選択数Ｍａは全てのリソースブロックグループにおいて共通であった。本実施形態に係る移動通信システムにおけるグルーピングルールでは、例えば図８に示すように、上記サイズＰ及び選択数Ｍａがリソースブロックグループ間で異なってもよい。但し、サイズＰに対する選択数Ｍａの比率は、全てのリソースブロックグループにおいて共通である。
【００７９】
以下、上記グルーピングルールの技術的意義を説明する。  
基地局中のスケジューリング部２３０によって行われるリソース割り当てのスケジューリングにおいて、帯域間でスケジューリング優先度が切り替わる場合がある。即ち、基地局が移動局へ割り当てたいリソースブロックと、割り当てたくないリソースブロックとが存在している場合がある。更に、上記スケジューリング優先度が切り替わる帯域はスケジューリング部２３０にとって通信の開始前に既知であるものの、当該帯域毎のスケジューリング優先度は変動する、或いはスケジューリング部２３０にとって未知である場合が想定される。
【００８０】
上記グルーピングルールでは、サイズＰとして任意の値を設定できるので、スケジューリング優先度が切り替わる帯域を１または２以上のリソースブロックグループとして扱うことができる。従って、各リソースブロックグループに含まれるリソースブロックのスケジューリング優先度を、グループ内で共通化させることができる。また、全てのリソースブロックグループにおいて、サイズＰに対する選択数Ｍａの比率は共通であるため、前述した第１の実施形態と同様に、基地局がＣＱＩを取得可能なリソースブロックを広帯域に分散させることができる。
【００８１】
（第５の実施形態）  
本発明の第５の実施形態に係る移動通信システムは、前述した第１の実施形態に係る移動通信システムとグルーピングルールのみが異なる。従って、以下の説明では本実施形態に係る移動通信システムにおけるグルーピングルールの詳細を中心に述べる。
【００８２】
前述した第１の実施形態に係る移動通信システムにおけるグルーピングルールでは、各リソースブロックグループのサイズＰ及び選択数Ｍａは全てのリソースブロックグループにおいて共通であった。本実施形態に係る移動通信システムにおけるグルーピングルールでは、例えば図９に示すように、上記サイズＰ及び選択数Ｍａがリソースブロックグループ間で異なってもよい。また、第４の実施形態とは異なり、各リソースブロックグループにおいてサイズＰに対する選択数Ｍａの比率は特に限定されない。上記グルーピングルールによれば、各帯域のスケジューリング優先度に応じて、サイズＰ及び選択数Ｍａをきめ細やかに設定することが可能となる。
【００８３】
（第６の実施形態）  
本発明の第６の実施形態に係る移動通信システムは、前述した第１の実施形態に係る移動通信システムとグルーピングルールのみが異なる。従って、以下の説明では本実施形態に係る移動通信システムにおけるグルーピングルールの詳細を中心に述べる。
【００８４】
前述した第１乃至第５の実施形態に係る移動通信システムにおけるグルーピングルールでは、各リソースブロックグループ内のリソースブロックが周波数軸上で連続であることを前提としている。一方、本実施形態に係る移動通信システムにおけるグルーピングルールでは、図１０Ａ乃至図１０Ｅに示すように、各リソースブロックグループ内のリソースブロックが周波数軸上で不連続であってもよい。即ち、上記グルーピングルールは、図１０Ａ乃至図１０Ｃに示すように周波数的に不連続なリソースブロックを規則的にグルーピングするものであってもよいし、図１０Ｄ及び図１０Ｅに示すように周波数的に不連続なリソースブロックを不規則にグルーピングするものであってもよい。
【００８５】
上記グルーピングルールによれば、前述した第１乃至第４の実施形態に係る移動通信システムにおけるグルーピングルールによって得られる効果に加え、更に周波数ダイバーシチの効果が得られる。従って、基地局は、特に周波数選択性フェージングに対するロバスト性の高いリソース割り当てを行うことができる。
【００８６】
（第７の実施形態）  
本発明の第７の実施形態に係る移動通信システムは、前述した第１の実施形態に係る移動通信システムとグルーピングルールのみが異なる。従って、以下の説明では本実施形態に係る移動通信システムにおけるグルーピングルールの詳細を中心に述べる。
【００８７】
前述した第１乃至第６の実施形態に係る移動通信システムにおけるグルーピングルールは、時間に対して不変（固定）であることを前提としている。一方、本実施形態に係る移動通信システムにおけるグルーピングルールは、図１１に示すように、時間に応じて遷移してもよい。例えば、グルーピングルールがＸサブフレーム時間毎に切り替わってもよい。尚、Ｘの値は通信の開始前に予め定められてもよいし、Ｘの値をパラメータライズしておいてＣＱＩリソースによって移動局に通知するようにしてもよい。
【００８８】
基地局は、通信開始時のＣＱＩリソースによってグルーピングルールがどのように遷移するかを移動局に予め通知しておいてよい。また、図１２に示すように、基地局は、通信の途中でＣＱＩリソースの再スケジューリングを行って、グルーピングルールの変更を通知してもよい。即ち、移動局中のグルーピングルール取得部１２１が、当該移動局に適用されるグルーピングルールを上書きできるようにしてもよい。
【００８９】
上記グルーピングルールによれば、前述した第１乃至第５の実施形態に係る移動通信システムにおけるグルーピングルールによって得られる効果に加え、更に時間ダイバーシチの効果が得られる。即ち、移動局のドップラー変動が小さい場合であっても、基地局がＣＱＩを得られやすいリソースブロックを時間的に分散させることができる。
【００９０】
（第８の実施形態）  
本発明の第８の実施形態に係る移動通信システムは、前述した第１の実施形態に係る移動通信システムとグルーピングルールのみが異なる。従って、以下の説明では本実施形態に係る移動通信システムにおけるグルーピングルールの詳細を中心に述べる。
【００９１】
前述した第１乃至第７の実施形態に係る移動通信システムにおけるグルーピングルールは、基地局と各移動局との間で個別に定められることを前提としている。一方、本実施形態に係る移動通信システムにおけるグルーピングルールは、基地局固有である。即ち、基地局と通信を行う全ての移動局に共通のグルーピングルールが適用される。
【００９２】
以下、上記グルーピングルールの技術的意義を説明する。  
図１３に示すように、地理的に隣接する複数の基地局Ａ、Ｂ及びＣ間において干渉を回避するために、各々の基地局が優先的にスケジューリングを行うリソースブロックを重複無く分散させることが有効である。図１４に示すように、基地局Ａ乃至Ｃのグルーピングルールでは、割り当て可能なリソースブロックを同様のリソースブロックグループＲＢＧ＿１乃至ＲＢＧ＿３にグルーピングさせるものの、各リソースブロックグループにおける選択数Ｍａが基地局間で互いに異なる。具体的には、基地局ＡのグルーピングルールではリソースブロックグループＲＢＧ＿３における選択数Ｍａが相対的に大きく、基地局ＢのグルーピングルールではリソースブロックグループＲＢＧ＿１における選択数Ｍａが相対的に大きく、基地局ＣのグルーピングルールではリソースブロックグループＲＢＧ＿２における選択数Ｍａが相対的に大きい。即ち、基地局Ａ、Ｂ及びＣ間において、優先的にスケジューリングが行われるリソースブロックグループが重複しない。従って、優先度の低いリソースブロックグループは基地局によってスケジューリングの行われないリソースブロックの割合が大きくなり、優先度の高いリソースブロックグループは基地局によってスケジューリングの行われるリソースブロックの割合が大きくなるため、基地局間の干渉が回避できる。また、優先度の低いリソースブロックグループにおいてスケジューリングされるリソースはチャネル品質が相対的に高いため、送信電力を低く設定することで他の基地局への干渉を抑えることもできる。従って、上記グルーピングルールによれば、システムスループットの向上が期待できる。
【００９３】
なお、本発明は上記各実施形態そのままに限定されるものではなく、実施段階ではその要旨を逸脱しない範囲で構成要素を変形して具体化できる。また上記各実施形態に開示されている複数の構成要素を適宜組み合わせることによって種々の発明を形成できる。また例えば、各実施形態に示される全構成要素からいくつかの構成要素を削除した構成も考えられる。更に、異なる実施形態に記載した構成要素を適宜組み合わせてもよい。
【図面の簡単な説明】
【００９４】
【図１】第１の実施形態に係る移動通信システムにおける移動局の一例を示すブロック図。
【図２】第１の実施形態に係る移動通信システムにおける基地局を示すブロック図
【図３】第１の実施形態に係る移動通信システムにおける割り当て可能なリソースブロックの一例を示す図。
【図４】第１の実施形態に係る移動通信システムにおけるグルーピングルールの説明図。
【図５】図１の移動局及び図２の基地局間のＣＱＩのやり取りの一例を示すシーケンス図。
【図６】第２の実施形態に係る移動通信システムにおけるグルーピングルールの説明図。
【図７】第３の実施形態に係る移動通信システムにおけるグルーピングルールの説明図。
【図８】第４の実施形態に係る移動通信システムにおけるグルーピングルールの説明図。
【図９】第５の実施形態に係る移動通信システムにおけるグルーピングルールの説明図。
【図１０Ａ】第６の実施形態に係る移動通信システムにおけるグルーピングルールの説明図。
【図１０Ｂ】図１０Ａの別の例の説明図。
【図１０Ｃ】図１０Ｂの別の例の説明図。
【図１０Ｄ】図１０Ｃの別の例の説明図。
【図１０Ｅ】図１０Ｄの別の例の説明図。
【図１１】第７の実施形態に係る移動通信システムにおけるグルーピングルールの説明図。
【図１２】図５の別の例を示すシーケンス図。
【図１３】第８の実施形態に係る移動通信システムにおける基地局の地理的状況の説明図。
【図１４】図１３の基地局の各々が決定するグルーピングルールの説明図。
【符号の説明】
【００９５】
１０１・・・アンテナ
１０２・・・デュプレクサ
１０３・・・受信ＲＦ部
１０４・・・ＦＦＴ部
１０５・・・周波数チャネル分離部
１０６・・・パイロットデスクランブリング部
１０７・・・チャネル品質測定部
１０８・・・制御チャネル復調部
１０９・・・制御チャネル復号部
１１０・・・データチャネル復調部
１１１・・・データチャネル復号部
１２０・・・制御部
１２１・・・グルーピングルール取得部
１３１・・・ＣＱＩ生成部
１３２・・・ＣＱＩチャネル符号化部
１３３・・・パイロット信号生成部
１３４・・・データチャネル符号化部
１３５・・・変調部
１３６・・・物理リソース割り当て部
１３７・・・ＩＦＦＴ部
１３８・・・送信ＲＦ部
２０１・・・アンテナ
２０２・・・デュプレクサ
２０３・・・受信ＲＦ部
２０４・・・ＦＦＴ部
２０５・・・周波数チャネル分離部
２０６・・・パイロットデスクランブリング部
２０７・・・ＣＱＩチャネル復調部
２０８・・・ＣＱＩチャネル復号部
２０９・・・データチャネル復調部
２１０・・・データチャネル復号部
２２０・・・制御部
２３０・・・スケジューリング部
２３１・・・グルーピングルール決定部
２４１・・・パイロット信号生成部
２４２・・・制御チャネル符号化部
２４３・・・データチャネル符号化部
２４４・・・変調部
２４５・・・物理リソース割り当て部
２４６・・・ＩＦＦＴ部
２４７・・・送信ＲＦ部
【図１】
0005282425.tif 000007
【図２】
0005282425.tif 000008
【図３】
0005282425.tif 000009
【図４】
0005282425.tif 000010
【図５】
0005282425.tif 000011
【図６】
0005282425.tif 000012
【図７】
0005282425.tif 000013
【図８】
0005282425.tif 000014
【図９】
0005282425.tif 000015
【図１０Ａ】
0005282425.tif 000016
【図１０Ｂ】
0005282425.tif 000017
【図１０Ｃ】
0005282425.tif 000018
【図１０Ｄ】
0005282425.tif 000019
【図１０Ｅ】
0005282425.tif 000020
【図１１】
0005282425.tif 000021
【図１２】
0005282425.tif 000022
【図１３】
0005282425.tif 000023
【図１４】
0005282425.tif 000024